(57)【要約】【課題】日射量や降雨などの気象条件を考慮した植物生育施設用の自動散水システムを提供する。【解決手段】この出願の発明は、以上の課題に対応してなされたもので、日射センサ、降雨センサ等を用いて、日々の気象条件（日射量、降雨など）を適切に管理することにより、効率的かつ無駄のない自動的な散水を行い、植物の生育を適切に維持・管理できるようにした。【選択図】        図１
2012147753.tif 000002
【特許請求の範囲】
【請求項１】
日射量を検出する日射センサと、降雨状態を検出する降雨センサと、水源からの水を植物に散水する散水手段と、水源から散水手段への水の供給状態を制御する散水用電磁弁と、上記日射センサにより検出された日射量と上記降雨センサにより検出された降雨状態とに基いて、上記散水用電磁弁を開閉制御する散水制御ユニットとを備えてなることを特徴とする植物生育施設用自動散水システム。
【請求項２】
日射強度が弱く、予じめ設定された所定時間内に所定の基準日射量に達しない場合には、予じめ設定された所定の時間間隔で定期散水を行うようになっていることを特徴とする請求項１記載の植物生育施設用自動散水システム。
【請求項３】
基準となる日射量は、植物の種類に応じて任意に設定可能となっていることを特徴とする請求項１又は２記載の植物生育施設用自動散水システム。
【請求項４】
散水制御ユニットが、コンピュータおよびインターネット回線を介して所定のデータセンターと接続され、散水制御ユニットを有する複数の植物生育施設が共通に管理されるようになっていることを特徴とする請求項１，２又は３記載の植物生育施設用自動散水システム。
【発明の詳細な説明】
【技術分野】
【０００１】
本願発明は、気象条件を考慮して散水制御を行う植物生育施設用の自動散水システムに関するものである。
【背景技術】
【０００２】
植物を生育させるためには水分が不可欠であるが、例えば多量の植物を生育させる屋上緑化施設等における日々の散水には時間的な制約と多大な労力を要する問題がある。
【０００３】
このため、従来から、例えば屋上緑化施設等では、一般にタイマー式の自動散水装置が用いられており、例えば図３の（ｃ）に示すように、１日の内の予じめ設定された所定の設定時刻（この図３（ｃ）の例では、午前６：００と午後の１８：００）になると、散水用電磁弁を開いて自動的に散水する散水システムが採用されている（特許文献１）。
【先行技術文献】
【特許文献】
【０００４】
【特許文献１】特開２００３−１０２２９５号公報
【発明の概要】
【発明が解決しようとする課題】
【０００５】
しかし、このようなタイマー式の散水装置では、上述のように、予じめユーザーが設定した設定時刻に固定的に散水を行うことから、散水の必要のない降雨時にも散水を行う等、日々の気象条件には全く対応することができていない。そのため、不必要な水の使用につながり、水源の乏しい地域では公共秩序に反する行為ともなっている。
【０００６】
また、本来、散水対象の植物の種類や土質に応じて、散水頻度や１回あたりの散水量を変化させることが望ましいが、従来の散水システムでは、そのような設定操作が複雑であり、高価なシステムになる
また、このような日々変化する気象条件に対応しない一律の散水は、植物の生育にとって必ずしも有効な散水とは言えない。
【０００７】
この出願の発明は、以上のような事情に基いてなされたもので、日々の気象条件（照度、降雨など）を適切に管理することにより、効率的に自動的な散水を行い、無駄な水の使用を回避するとともに、植物の生育の適切な維持管理を低コストに実現できるようにした自動散水システムを提供することを目的とするものである。
【課題を解決するための手段】
【０００８】
本願各発明は、上記の目的を達成するために、それぞれ次のような課題解決手段を備えて構成されている。
【０００９】
（１）  請求項１の発明
この発明は、日射量を検出する日射センサと、降雨状態を検出する降雨センサと、水源からの水を植物に散水する散水手段と、水源から散水手段への水の供給状態を制御する散水用電磁弁と、上記日射センサにより検出された日射量と上記降雨センサにより検出された降雨状態とに基いて、上記散水用電磁弁を開閉制御する散水制御ユニットとを備えてなることを特徴としている。
【００１０】
このような構成によると、屋上緑化施設その他の各種植物生育施設に対して日々の気象条件に対応した適切な散水制御を行うことができるようになることから、日射量に応じた最適な給水管理が可能となり、さらに、すでに述べた従来のタイマー式の散水システムのように、降雨時に不要な散水を行うようなことがなくなり、無駄な水の使用をも回避することができる。したがって、水源の乏しい地域にとって好都合となる。
【００１１】
また、本来、散水対象の植物の種類や土質などに応じて、散水頻度や１回あたりの散水量を変化させることが好ましいが、そのような対応も容易となる。
【００１２】
それらの結果、植物の生育性も向上する。
【００１３】
（２）  請求項２の発明
この発明は、上記請求項１の発明の構成において、日射強度が弱く、予じめ設定された所定時間内に所定の基準日射量に達しない場合には、予じめ設定された所定の時間間隔で定期散水を行うようになっていることを特徴としている。
【００１４】
このように日射強度が弱く、予じめ設定された所定時間内に所定の基準日射量に達しない場合には、予じめ設定された所定の時間間隔での定期的な散水を行うようにすると、例えば夏の曇天日などで、日射量そのものは少ないが、気温が高く、水分が蒸発しやすい日の定期的な散水機能が確保される。
【００１５】
その結果、日射センサと降雨センサのみに基いて散水制御を行うようにした場合の植物に対するダメージが回避される。
【００１６】
（３）  請求項３の発明
この発明は、上記請求項１又は２の発明の構成において、基準となる日射量は、植物の種類に応じて任意に設定可能となっていることを特徴としている。。
【００１７】
このような構成によると、水分の要求度合が異なる植物の種類に応じて、適切なタイミングでの水の補給が可能となり、植物の良好な生育管理が可能となる。
【００１８】
（４）  請求項４の発明
この発明は、上記請求項１，２又は３の発明の構成において、散水制御ユニットが、コンピュータおよびインターネット回線を介して所定のデータセンターと接続され、散水制御ユニットを有する複数の植物生育施設が共通に管理されるようになっていることを特徴としている。
【００１９】
このように、コンピュータおよびインターネット回線を使用して複数の植物生育施設を共通に管理するようにした場合、上述した日射センサや降雨センサの検出データを共有させることができ、システムの管理効率が向上するとともに、システム全体を低コストに実現することができる。
【発明の効果】
【００２０】
以上の結果、本願発明によれば、屋上緑化施設等各種植物生育施設の気象条件に応じた適切な散水管理が可能となり、水を無駄にすることなく、より高効率かつ良好な植物の生育管理が可能となる。
【００２１】
また、インターネット回線を使用して複数の植物生育施設を共通に管理するようにした場合、上述した日射センサや降雨センサの検出データを共有させることができ、より高効率な施設運営が可能になる。
【図面の簡単な説明】
【００２２】
【図１】本願発明の実施の形態１に係る植物生育施設用自動散水システムの装置部分の構成を示す図である。
【図２】同自動散水システムの散水制御内容を示すフローチャートである。
【図３】同自動散水システムの散水制御内容（ａ），（ｂ）を従来のタイマー式の散水制御システムの散水制御内容（ｃ）と比較して示すタイムチャートである。
【図４】本願発明の実施の形態２に係る植物生育施設用自動散水システムの装置部分の構成を示す図である。
【図５】本願発明の実施の形態３に係る植物生育施設用自動散水システムの装置部分の構成を示す図である。
【図６】本願発明の実施の形態４に係る植物生育施設用自動散水システムの散水制御内容を示すフローチャートである。
【発明を実施するための形態】
【００２３】
＜実施の形態１＞
図１〜図３は、本願発明の実施の形態１に係る植物生育施設用自動散水システムの構成および作用を示している。
【００２４】
（基本となる散水装置部分の構成）
先ず図１は、上記自動散水システムの基本となる自動散水装置部分の具体的な構成を示している。
【００２５】
図中、符号１は、例えば植物生育施設の一例としての屋上緑化施設の土壌部分を構成する屋上緑化基盤であり、この屋上緑化基盤１，１・・・上には、所定の植物２，２・・・が多数本植栽されている。
【００２６】
この屋上緑化用基盤１，１・・・には、一例として、粒状のクリンカアッシュを骨材とし、水とセメントとを混合して、その内部に空隙率１０％〜３０％の空隙を形成したブロック構造体が採用されている。
【００２７】
クリンカアッシュとは、石炭火力発電所のボイラー内で、燃焼によって生じた石炭灰の粒子同士が相互に凝結し、多孔質の塊となった廃棄物である。
【００２８】
本実施例では、このクリンカアッシュを、破砕し、例えば粒径３ｍｍ〜２０ｍｍに粒度調整した粒状のクリンカアッシュを用いている。
【００２９】
また、水と、セメントと、骨材とされる粒状のクリンカアッシュとの単位体積当りの重量比（配合比）は、およそ１：（２．５〜３．５）：（１０〜１２）として、これらを混合している。
【００３０】
そして、この混合物を、小型コンクリート平板即脱成型機により、直方体のブロック状に形成し、養生させて、屋上緑化用基盤として形成している。
【００３１】
なお、この屋上緑化用基盤１の内部の空隙は、植栽する植物２，２・・・の根が根付くうえで、根腐れしない程度の排水性を持たせるように連通させている。
【００３２】
一方、この屋上緑化基盤１，１・・・の上方には、上記植栽された植物２，２・・・の上方から水を散水するための散水ホース３が設置されており、該散水ホース３の基端３ａ側は散水用電磁弁４、水供給管５を介して水道水の供給源に接続されている。
【００３３】
散水用電磁弁４は、散水制御ユニット７によって、電気的に開閉制御され、開状態において、上記水供給管５を介して供給される水道水供給源からの水道水を散水ホース３に供給し、その散水口３ｂ，３ｂ・・・から植物２，２・・・に向けて散水する。
【００３４】
散水制御ユニット７は、所定容量のマイクロコンピュータを備えて構成されており、その入力回路には、日射強度から所定時間内の日射量を検出する日射センサ８、降雨状態を検出する降雨センサ９からの各検出データが入力されるようになっている。
【００３５】
なお、上記散水ホース３は、それが複数本並設されているような場合には、上記散水ポンプ６に対して、個別に散水用電磁弁４，４・・・を設置し、それら各々の散水用電磁弁４，４・・・が順番に（１本毎に）開放されて行くように構成される。このようにすると、同時に複数の散水用電磁弁４，４・・・が開かれる場合に比較して、各列毎に一定の安定した水圧、水量が確保される。
【００３６】
また、上記散水制御ユニット７には、上記植栽されている植物２，２・・・の種類や上記屋上緑化基盤１，１・・・の保水性に応じて、上記所定時間内に検出すべき日射量のレベルを所望に可変設定する日射量設定ダイヤル７ｂ、散水用電磁弁４を開いて散水する時間を所望に可変設定する散水設定ダイヤル７ｃ、設定時刻如何にかかわらず、所定の時間間隔で定期的に散水を行わせるための所定の時間間隔（スパン）を設定する定期散水時間設定ダイヤル７ｄが設けられており、これらの各設定中および設定後の数値や時間は、各ダイヤル７ｂ〜７ｄ上方側の液晶表示パネル７ａ部分にデジタル表示されるようになっている。
【００３７】
なお、上記散水制御ユニット７および散水用電磁弁４、各センサ８，９の動作電源としては、一般的には図示のようにＡＣ電源が用いられるが、これらは必要に応じて太陽電池を採用することも可能である。
【００３８】
（自動散水装置の制御動作）
次に、上記散水制御ユニット７による散水制御動作について、図２のフローチャートを参照して説明する。
【００３９】
先ず、上記散水制御ユニット７の電源スイッチが入ると、当該散水制御ユニット７はもちろん、上記散水用電磁弁４、日射センサ８、降雨センサ９などにも電源が供給され、装置全体の動作が可能となる。
【００４０】
そして、それにより制御動作を開始して、先ずステップＳ１で、上記日射センサ８の検出データを入力し、続くステップＳ２で検出された日射量の積算（累積）を開始する。また、次にステップＳ３で、上記降雨センサ９の検出データ（雨滴検知データ）を入力し、続くステップＳ４で降雨状態の検知（雨滴付着の有無）を開始する。
【００４１】
そして、その後、さらにステップＳ５に進み、それまでに累積された上記日射量Ａ（単位面積当りの照度＝Ｗ（ワット）／ｍ２）が所定の基準量（１００Ｗ／ｍ２）以上であるか（Ａ≧１００Ｗ／ｍ２）、またはそれよりも少ないか（Ａ＜１００Ｗ／ｍ２）を判定する。
【００４２】
その結果、ステップＳ４で雨滴の付着が検出された状態において、上記日射量が上記基準量（１００Ｗ／ｍ２）よりも少ない時は、降雨状態であると判定して、続くステップＳ６で上述した日射量の累積動作を停止するとともに、降雨状態の感知時間をカウントし、降雨時間を計測する（降雨状態の検知による散水禁止制御）。
【００４３】
そして、そのようにして降雨感知が終了したら、次にステップＳ７で同感知終了後所定時間、例えば５分経過後から再び上記ステップＳ２の日射量の積算（累積）を継続する。要するに、降雨センサ９による降雨状態の検知中はもちろんのことであるが、降雨状態の検知が解除されても、その後５分間は散水を行わないようにしている。
【００４４】
これにより、一時的に雨が止んでも再び降り出す場合もあり、そのような降雨時の無駄な散水制御をも回避するようにしている。
【００４５】
他方、日射量Ａが上記基準量以上に多い時（Ａ≧１００Ｗ／ｍ２）は、仮に降雨センサ９が降雨検知（雨滴付着を検知）したとしても、実質的には降雨状態ではないと判定して、上記ステップＳ２の動作に戻り、日射量の積算（累積）を継続する。要するに、降雨センサ９は降雨の有無（雨滴の付着）しか検知できないことから、汚れ等による誤検知の可能性もあるため、仮に降雨センサ９が雨滴を検知したとして所定の信号を出力したとしても、少なくとも日射強度が１００Ｗ／ｍ２以上ある場合には、そのような降雨検知を無視するようにしている。
【００４６】
以上のようにして、降雨状態の検知状態が解除されると（５分経過／ステップＳ７でＹＥＳ）、次にステップＳ８に進んで、日射量の累積を再開し、続くステップＳ９で、上記累積された日射量が具体的に散水が必要であるか否かの判定を行うための判定基準となる日射量の累積設定値（散水基準日射量）に達したか否かを判定する。
【００４７】
その結果、ＹＥＳの時は、ステップＳ１１に進んで、上述の散水用電磁弁４を開き、予じめ設定された散水時間内散水をする。
【００４８】
この結果、日射強度が、所定時間内に所定量以上の日射量がある晴れの日などには、設定時間での強制散水とは別に、その時の日射量に応じた短時間間隔での散水が可能となり、より適切な水の補給が行われる（図３の（ａ），（ｂ）を参照）。
【００４９】
そして、同予じめ設定された散水時間が経過すると、ステップＳ１２で当該散水用電磁弁４を閉じ、ステップＳ１３で上記それまでに累積している日射量の累積値をリセットした上で、再び前述のステップＳ１，Ｓ２の日射量検出、累積動作、ステップＳ３〜Ｓ７の降雨判定動作にリターンし、改めて上述の日射量累積、降雨判定動作を実行する。
【００５０】
一方、上記ステップＳ９の日射量累積値判定動作でＮＯと判定された累積日射量が散水を行うための判定基準量（設定値）に達していない場合であっても、上記定期散水時間設定ダイヤル７ｄにより予じめ定められた強制散水設定時間に達している時（ステップＳ１０でＹＥＳの時）は、上記ステップＳ９でＹＥＳの時と同様にステップＳ１１に進んで散水を行う。
【００５１】
このように、例えば日射強度が弱く、予じめ設定された所定時間内に所定の基準日射量に達しない場合には、予じめ設定された所定の時間でのタイマー方式による強制的な散水を行うようにすると、例えば夏の曇天日などで、日射量そのものは少ないが、気温が高く、水分が蒸発しやすい日などの定期的な散水機能が確保される。
【００５２】
その結果、日射センサと降雨センサのみに基いて散水制御を行うようにした場合の植物に対するダメージが回避される。
【００５３】
以上のような構成によると、屋上緑化施設等植物生育施設の各植物に対して、日々の気象条件に対応した適切な散水制御を行うことができるようになり、例えば図３の（ａ）と（ｂ）に示すように、日射量が多い晴れの日には、日射量が少ない曇の日に比べて、短かいタイミングで効果的に散水することができるようになるとともに、図３の（ｃ）に示す従来のタイマー式の散水システムのように、晴れの日にも日射量を考慮しない所定時刻毎の固定的な散水で水分不足を生じたり、さらには降雨時に不要な散水を行うようなことがなくなり、屋上緑化基盤１，１・・・中の実際の保水レベルに応じた適切な散水機能を実現できるとともに、無駄な水の使用を回避することができる。したがって、水源の乏しい地域にとっても好都合となる。
【００５４】
また、本来、散水対象の植物の種類や土質などに応じて、散水頻度や１回あたりの散水量を変化させることも可能となる。
【００５５】
それらの結果、植物の生育性も向上する。
【００５６】
（実施の形態２）
上述した実施の形態１の構成における屋上緑化基盤１，１・・・からの水分の蒸発量は、上述した日射量だけでなく、当該屋上緑化基盤１，１・・・の温度やその時の外気温によるところも大きい。
【００５７】
そこで、この実施の形態では、例えば図４に示すように、上述の実施の形態１の構成において、さらに上記屋上緑化基盤１，１・・・内に所定の間隔を保って、複数の温度センサ（例えばサーミスタ）１０，１０・・・を設置し、日中の所定の設定時刻毎の屋上緑化基盤１，１・・・の温度を検出し、同検出値をも上記散水制御ユニット７内に取り込み、屋上緑化基盤１の温度が高いほど、例えば１回当りの散水量を多くする、散水間隔を短かくする、などの散水制御を行わせるようにしている。
【００５８】
このような構成にすると、より植物２，２・・・側の水分要求度合に応じた一層適切な散水制御が可能となる。
【００５９】
（実施の形態３）
さらに、この実施の形態では、上述の実施の形態１（または実施の形態２）の構成における散水制御ユニット７を、例えば図５に示すように、無線ラン機能を内蔵したパーソナルコンピュータ１１とワイヤレス接続するとともに、無線ランルータ１２を介して外部インターネット回線１３と接続する。そして、さらに同インターネット回線１３を介して、所定のデータセンター１４や携帯電話１５と接続する。
【００６０】
このような構成によると、必要に応じて、上述した散水タイミングや散水時間、屋上緑化基盤１，１・・・の温度などを自動的に収集し、年間（または季節）を通したデータとして蓄積し、当該緑化施設特有のデータベースを作成することもできるようになる。
【００６１】
また、その場合、上記データセンター１４は、同様にして構成した複数の緑化施設の管理を行うことが可能となり、上述した日射センサ８や降雨センサ９、温度センサ１０などの検出情報は、各施設の散水制御ユニット７，７・・・間で共有することができる。
【００６２】
もちろん、そのように各センサ８，９，１０の検出情報を共有化させた場合にも、それに対応して実行される散水タイミングや散水量は、当該施設に植えられた植物２，２・・・の種類や緑化基盤１，１・・・の種類に応じて個々の散水制御ユニット７，７・・・毎に任意に独立して設定することが可能である。
【００６３】
また上記携帯電話１５は、例えば上記緑化施設のオーナーおよびデータセンター１４の運営会社と契約した専門の緑化施設管理者などが上記データセンター１４にデータベースとして蓄積された最新のデータを参照して、異常、故障等の情報を受信し、メンテナンスその他の必要な対応を取るのに利用される。
【００６４】
（実施の形態４）
さらに、図６のフローチャートは、上述の実施の形態１の図２のフローチャートに示す散水制御システムについて、上述の強制散水制御（ステップＳ１０）に加えて、さらに上述した定期散水時間設定ダイヤル７ｄによる定期的な散水時間の設定による定期散水制御（ステップＳ１１）を可能としたことを特徴とするものであり、その他の構成および作用は、上述の実施の形態１の図２のフローチャートに示すものと全く同様である。
【００６５】
＜その他の実施の形態＞
以上の各実施の形態において、さらに次のような変形又は改良が可能である。
【００６６】
（１）  屋上緑化施設などでは、人々が入場し、観賞できるようになっているケースも多い。
【００６７】
そのような場合、日射量の検出によって、いきなり散水されると、人々が水を被る可能性もある。
【００６８】
そこで、上記散水開始に先立って予じめ散水する旨の報知を行ない、その後所定時間を置いて散水を始めるようにする。
【００６９】
（２）  散水の場合だけでなく、液肥等の肥料を施す場合にも、上述した気象条件を考慮して肥料を与えるようにする。
（３）  降雨センサ９に加えて、例えばマス式雨量計を付加し、具体的な雨量をも計測して、より適切な散水制御を行う。
【００７０】
（４）  定期散水時間設定ダイヤル７ｄに加えて、所定の設定時刻（例えばＡＭ１１：００、ＰＭ３：００、ＰＭ６：００など）になると、日射量センサ８によって検出される日射量如何にかかわらず、散水用電磁弁４を開いて散水する強制散水時刻設定タイマーにより、より確実に散水制御を行う。
【００７１】
（５）  水源を上述した水道水の供給源に変えて、雨水貯留タンクや地下水（井戸水）にする。
【符号の説明】
【００７２】
１は屋上緑化基盤、２は植物、３は散水ホース、４は散水用電磁弁、５は水供給管、７は散水制御ユニット、８は日射センサ、９は降雨センサ、１０は温度センサ、１１はパーソナルコンピュータ、１２は無線ランルーター、１３はインターネット回線、１４はデータセンター、１５は携帯電話である。
【図１】
2012147753.tif 000003
【図２】
2012147753.tif 000004
【図３】
2012147753.tif 000005
【図４】
2012147753.tif 000006
【図５】
2012147753.tif 000007
【図６】
2012147753.tif 000008